(57)【要約】【課題】着物を着る時の帯の着用に不慣れな者であっても簡易的に容易に装着することができると共に、装着具が外部に露出することなく装着後の見栄えが良い簡易式和服用帯を提供する。【解決手段】簡易式和服用帯１０は、身体の胴部に巻き付ける帯状の胴巻帯部１と、予め所望の結び型に形成され、胴巻帯部の背側に配された帯結び部２と、帯結び部が配された胴巻帯部を胴部に固定するときに互いに結合する一対の装着具３とを備える。この装着具は、胴巻帯部を胴部に巻き付けたとき、重なり方向の外側に位置することとなる第１端部側１１に取り付けた紐状の第１装着部４と、重なり方向の内側に位置することとなる第２端部側１２に取り付けた紐状の第２装着部５と、から構成され構成されている。そして、第１装着部が、胴巻帯部の長さ方向に対し斜めに取り付けられている。【選択図】図１
2009191426.tif 000002
【特許請求の範囲】
【請求項１】
身体の胴部に巻き付ける帯状の胴巻帯部と、予め所望の結び型に形成され、前記胴巻帯部の背側に配された帯結び部と、この帯結び部が配された前記胴巻帯部を胴部に固定するときに互いに結合する一対の装着具と、を備え、
前記装着具は、前記胴巻帯部を胴部に巻き付けたとき、重なり方向の外側に位置することとなる第１端部側に取り付けた紐状の第１装着部と、前記重なり方向の内側に位置することとなる第２端部側に取り付けた紐状の第２装着部と、から構成され、
前記第１装着部は、前記胴巻帯部の長さ方向に対し斜めに取り付けられていることを特徴とする簡易式和服用帯。
【請求項２】
前記第１装着部は、前記胴巻帯部を胴部に固定するとき把持される結合端部が、前記胴巻帯部に対する取付け端部より前記長さ方向の外側でかつ下方に位置すると共に、前記取付け端部が前記胴巻帯部の下端位置に取り付けられていることを特徴とする請求項１に記載の簡易式和服用帯。
【請求項３】
前記第２装着部は、前記胴巻帯部を身体に固定するとき把持される結合端部が、前記胴巻帯部に対する取付け端部より前記胴巻帯部の長さ方向の外側でかつ下方に位置すると共に、前記取付け端部が前記胴巻帯部の下端位置に取り付けられることで、前記胴巻帯部の長さ方向に対し斜めに取り付けられていることを特徴とする請求項２に記載の簡易式和服用帯。
【請求項４】
前記第１装着部及び前記第２装着部は、平たいことを特徴とする請求項１乃至３の何れか１項に記載の簡易式和服用帯。
【請求項５】
前記第１装着部は、前記取り付け端部が、前記胴巻帯部を胴部に巻き付けたときに重なる一面を表側として、裏側に取り付けられていることを特徴とする請求項１乃至４の何れか１項に記載の簡易式和服用帯。
【請求項６】
前記胴巻帯部は、１本の長尺の帯の一部を長さ方向に沿って二つ折りして形成した部位から構成され、
前記帯結び部は、前記胴巻帯部に連続する前記帯の残りの部分を折り畳むことにより形成した部位から構成されている、
ことを特徴とする請求項１乃至５の何れか１項に記載の簡易式和服用帯。
【発明の詳細な説明】
【技術分野】
【０００１】  本発明は、着物（和服）と共に着用される和服用帯に係り、詳しくは、着物を着る時の帯の着用に不慣れな者であっても一人で簡易的に容易に装着することができる簡易式和服用帯に関するものである。
【背景技術】
【０００２】  現在、着物を着ることが非日常と化しているが、振り袖や留め袖、訪問着などに代表される着物は、日本の代表的な民族衣装であり、その美しさ故に、世界中で広く評価されている。また、近年では、比較的若い人々の間でも和装への関心が高まっており、日常でも着物を着たいといった要望が多くなってきている。【０００３】  ところが、着物を着慣れていない人にとって、着物を着る時の帯の着用は煩雑で手間が掛かるものであった。すなわち、着物と共に着用される帯には、袋帯や丸帯あるいは名古屋帯などがあるが、何れも１本の長尺の帯を身体に巻き付けてから身体の後で強く結んだり、余りの部分でお太鼓等の帯飾り部分を形成したりするものである。したがって、余程の熟練を要した者でなければ、自分で素早くかつ美しく帯を結ぶことが困難であり、着物を着慣れていない人は、着付けにおいて人手に頼らざるを得ないのが現状である。【０００４】  また、帯の着用が煩雑で手間が掛かるものであることが一因となり、和服を着る機会が減少して和服用帯の締め方を知る者も少なくなってきている。
このため、着物を着る時の帯の着用に不慣れな者であっても、一人で容易に装着することができる帯の開発が求められている。【０００５】  そこで、帯の着用を簡易化し、素人であっても手軽に短時間で締めることが出来るようにする技術として、お太鼓などの結び部分が予め固定的に形成された簡易型帯が種々提案されている。
図１３乃至図１７は、従来の簡易型帯を示す図であり、図１３乃至図１６に、第１の構造の簡易型帯を示し、図１７に、第２の構造の簡易型帯を示す。【０００６】  図１３は、第１の構造の簡易型帯の全体構成の一例を示す斜視図であり、図１４は、図１３に示す簡易型帯の装着方法を説明する正面図であり、図１５は、図１３に示す簡易型帯の装着完了後の状態を示す正面図であり、図１６は、図１３に示す簡易型帯の装着完了後の状態を示す右側面図である。
図１３に示すような簡易型帯１０１は、身体の胴部に巻き付ける胴巻帯部１０２と、予めお太鼓等の結び型に結び上げた形態とされた帯結び部１０３とから構成され、胴巻帯部１０２の背側に帯結び部１０３を取り付けられている。また、この簡易型帯１０１には、装着具として、胴巻帯部１０２の一端側１１１下端位置に第１の細紐１０４が、一方、胴巻帯部１０２の他端側１１２下端位置に第２の細紐１０５がそれぞれ設けられている。そして、胴巻帯部１０２を胴部に巻付けた後、この第１の細紐１０４と第２の細紐１０５とを互いに結ぶことにより締め上げるようになされている。【０００７】  しかしながら、このような簡易型帯１０１は、胴巻帯部１０２の長さ方向と同じ方向に伸びるように結び用の第１の細紐１０４及び第２の細紐１０５が取付けられている。そのため、この第１の細紐１０４と第２の細紐１０５とを互いに結ぶ際、図１４において矢印で示すように、双方の細紐１０４，１０５をそれぞれ外側へ引っ張ることにより帯を締め上げなければならない。そうすると、胴部に巻付けることで外側となった胴巻部１０２の下縁部１０２ｂが、胴部に巻付けることで内側となった胴巻部１０２の他端側１１２下端位置に取り付けた第２の細紐１０５の上縁部１０５ａに乗っかったものとなってしまう。【０００８】  したがって、このような簡易型帯１０１では、装着完了後において、図１５に示すように、胴部に巻付けることで内側となった胴巻部１０２の他端側１１２に取り付けた第２の細紐１０５の取り付け部分１１５が、胴巻部１０２の下縁部１０２ｂより下方に突出したものとなってしまい、結んだ後の形が乱れた（帯が傾斜した）ようになって外見上の見栄えが悪く好ましくなかった。
そして、この場合、図１５において矢印で示すように、下方に突出した胴巻部１０２の下縁部１０２ｂを押し上げつつ、胴部に巻付けることで外側となった胴巻部１０２の上縁部１０２ａを押し下げ、着上がりの美しさを整える手間が必要であった。【０００９】  また、このような簡易型帯１０１において第１の細紐１０４及び第２の細紐１０５は、簡易型帯１０１を身体の胴部に固定するための部位であり、装飾的効果が高く、着崩れを防止するために帯の上に締める帯締めとは違うため、簡易型帯１０１の胴部への装着後、見栄えを良くするために胴巻帯部１０２の内側へ隠して外から見えないようにする必要がある。【００１０】  ところが、簡易型帯１０１では、装着完了後において、図１６に示すように、胴巻部１０２に取り付けた第１の細紐１０４の取り付け部分１１４付近が、胴巻部１０２の内側に隠れず外部に露出し、見栄えの良くないものとなってしまうと共に、帯の美しさや着物の美しさを低下させてしまう。しかも、露出した細紐１０４の取り付け部分１１４付近は、第２の細紐１０５の取り付け部分１１５とは異なり、構造上胴巻部１０２の内側に隠すことができないものであった。【００１１】  また、図１７は、第２の構造の簡易型帯の全体構成の一例を示す正面図である。
図１７に示すような簡易型帯１２１は、身体の胴部に巻き付ける胴巻帯部１２２と、予めお太鼓等の結び型に結び上げた形態とされた帯結び部１２３とから構成され、胴巻帯部１２２の背側に帯結び部１２３を取り付けると共に、装着具として、胴巻帯部１２２の中央部１３０下端位置に第１の細紐１２４が、また、胴巻帯部１２２の他端側１３２下端位置に第２の細紐１２５がそれぞれ設けられたものとなっている（特許文献１参照）。【００１２】  しかしながら、このような簡易型帯１２１は、第１の細紐１２４が、胴巻帯部１２２の中央部１３０下端位置に取り付けられていることから、簡易型帯１２１の装着完了後において、第１の細紐１２４を胴巻部１２２の内側に隠すことができず、外部に露出した見栄えの良くないものとなってしまう。
しかも、第１の細紐１２４と第２の細紐１２５をそれぞれ外側へ引っ張ることにより帯を締め上げる際、同じ力で締め上げたのでは、第１の細紐１２４が取り付けられた胴巻帯部１２２の中央部１３０が外側へ引っ張られ、装着完了後において、帯結び部１２３が曲がった状態となってしまう虞がある。したがって、簡易型帯１２１を装着する際には、第１の細紐１２４と第２の細紐１２５とを引っ張る力の加減に微妙な調整を要する煩わしさがある。【００１３】  このように、上述した従来の技術では何れも、装着のし易さは達成することができるものの、着物の素晴らしさを表現する着上がりの美しさについて何ら考慮されていないものであった。
したがって、装着のし易さと、装着後の見栄えの良さを兼ね備えた技術は、現在のところ提案されていない。
【特許文献１】実用新案登録第３０６８９５６号公報
【発明の開示】
【発明が解決しようとする課題】
【００１４】  本発明は、上記事情に鑑みてなされたものであって、着物を着る時の帯の着用に不慣れな者であっても簡易的に容易に装着することができると共に、装着具が外部に露出することなく装着後の見栄えが良い簡易式和服用帯を提供することを目的とする。
【課題を解決するための手段】
【００１５】  本発明の簡易式和服用帯は、身体の胴部に巻き付ける帯状の胴巻帯部と、予め所望の結び型に形成され、前記胴巻帯部の背側に配された帯結び部と、この帯結び部が配された前記胴巻帯部を胴部に固定するときに互いに結合する一対の装着具と、を備え、前記装着具は、前記胴巻帯部を身体に巻き付けたとき、重なり方向の外側に位置することとなる第１端部側に取り付けた紐状の第１装着部と、前記重なり方向の内側に位置することとなる第２端部側に取り付けた紐状の第２装着部と、から構成され、前記第１装着部は、前記胴巻帯部の長さ方向に対し斜めに取り付けられていることを特徴とする。【００１６】  また、本発明の簡易式和服用帯において、前記第１装着部は、前記胴巻帯部を胴部に固定するとき把持される結合端部が、前記胴巻帯部に対する取付け端部より前記長さ方向の外側でかつ下方に位置すると共に、前記取付け端部が前記胴巻帯部の下端位置に取り付けられていることを特徴とする。【００１７】  また、本発明の簡易式和服用帯において、前記第２装着部は、前記胴巻帯部を身体に固定するとき把持される結合端部が、前記胴巻帯部に対する取付け端部より前記胴巻帯部の長さ方向の外側に位置でかつ下方に位置すると共に、前記取付け端部が前記胴巻帯部の下端位置に取り付けられることで、前記胴巻帯部の長さ方向に対し斜めに取り付けられていることを特徴とする。【００１８】  また、本発明の簡易式和服用帯において、前記第１装着部及び前記第２装着部は、平たいことを特徴とする。【００１９】  また、本発明の簡易式和服用帯において、前記第１装着部は、前記取り付け端部が、前記胴巻帯部を胴部に巻き付けたときに重なる一面を表側として、裏側に取り付けられていることを特徴とする【００２０】  さらに、本発明の簡易式和服用帯は、前記胴巻帯部が、１本の長尺の帯の一部を長さ方向に沿って二つ折りして形成した部位から構成され、前記帯結び部が、前記胴巻帯部に連続する前記帯の残りの部分を折り畳むことにより形成した部位から構成されていることを特徴とする。
【発明の効果】
【００２１】  本発明の簡易式和服用帯によれば、帯結び部が配された胴巻帯部を胴部に固定するときに互いに結合する一対の装着具において、胴巻帯部を胴部に巻き付けたとき、重なり方向の外側に位置することとなる第１端部側に取り付けた紐状の第１装着部が、胴巻帯部の長さ方向に対し斜めに取り付けられている。ゆえに、簡易式和服用帯の装着完了後において、第１装着部の上縁部が胴部に巻き付けられた胴巻帯部の下縁部より低い高さに位置することとなり、第１装着部の取り付け端部付近が外部に露出することのないように胴巻帯部の内側へ隠すことができるものとなる。
したがって、着物を着る時の帯の着用に不慣れな者であっても簡易的に容易に装着することができると共に、装着具が外部に露出することなく装着後の見栄えが良い簡易式和服用帯を提供することができる。
【発明を実施するための最良の形態】
【００２２】  以下、本発明を実施した簡易式和服用帯の一例について説明する。
＜第１の実施の形態＞
まず、図１及び図２を参照しながら、本発明の第１の実施の形態に係る簡易式和服用帯（以下、「第１の簡易式和服用帯」という。）について説明する。
図１は、本発明に係る第１の簡易式和服用帯の全体構成の一例を一部省略して示す斜視図であり、図２は、その装着方法を説明する斜視図である。
図１に示すように、本発明に係る第１の簡易式和服用帯１０は、胴巻帯部１と、帯結び部２と、一対の装着具３と、を備える。なお、以下に述べる他の実施の形態では、ここで説明した実施の形態と異なる部分を中心に説明する。したがって、ここで述べる実施の形態と同様の構成部分は同じ符号を付してその説明は省略し、特に説明しない限り同じであるものとする。【００２３】  胴巻帯部１は、身体の胴部に巻き付ける帯状の部位である。この胴巻帯部１は、１本の長尺の帯の一部、たとえばその全長のほぼ１／２強の長さを、長さ方向に沿って二つ折りして形成することができる。
図１において、胴巻帯部１は、長尺の帯の略半分を長さ方向に沿って二つ折りし、さらに、これを長さが略半分となるように折り返して重ね合わせ、二重にしたものとされている。【００２４】  帯結び部２は、たとえばお太鼓といった予め所望の結び型に形成され、胴巻帯部１の背側に配された部位である。この帯結び部２は、１本の長尺の帯において、胴巻帯部１に連続する帯の残りの部分を折り畳むことにより形成することができる。
図１において、帯結び部２は、お太鼓結びに形成され、胴巻帯部１の一端側（後述する第１端部側１１）に配されている。【００２５】  また、帯結び部２は、図１において、結び型の外観を良好にするため、胴巻帯部１への取り付け側の幅がやや先細となるように、左右にそれぞれ一つずつひだ２５，２５が形成されたものとなっている。【００２６】  装着具３は、帯結び部２が配された胴巻帯部１を胴部に固定するときに互いに結合して止着するための部位である。この装着具３は、胴巻帯部１を胴部に巻き付けたとき、重なり方向の外側に位置することとなる第１端部側１１に取り付けた紐状の第１装着部４と、重なり方向の内側に位置することとなる第２端部側１２に取り付けた紐状の第２装着部５と、から構成されている。【００２７】  この第１装着部４は、胴巻帯部１の長さ方向に対し斜めに取り付けられている。本実施の形態において、第１装着部４は、胴巻帯部１を胴部に固定するとき把持される結合端部４１が、胴巻帯部１に対する取付け端部４２より長さ方向の外側でかつ下方に位置すると共に、取付け端部４２を胴巻帯部１の第１端部側１１における下端位置に取り付けることで、斜めに取り付けられたものとなっている。【００２８】  ここで、第１装着部を胴巻帯部の長さ方向に対し斜めに取り付けるとは、第１装着部は全体的に直線状に形成され、その取付け端部が胴巻帯部に対し斜めに取り付けられる場合の他、図示しないが、第１装着部における取付け端部が残りの部分に対して略「く」の字状に曲折し、取付け端部は胴巻帯部の長さ方向と同じ方向に伸びるように取り付けられ、取付け端部に連続する残りの部分が胴巻帯部の長さ方向に対し斜め方向に伸びるように取り付けられる場合も含むものである。【００２９】  一方、第２装着部５は、胴巻帯部１の長さ方向と同じ方向に伸びるように取り付けられている。本実施の形態において、胴巻帯部１を身体に固定するとき把持される結合端部５１が、胴巻帯部１に対する取付け端部５２より長さ方向の外側に位置し、取付け端部５２が胴巻帯部１の第２端部側１２における下端位置に取り付けられたものとなっている。【００３０】  このような構成の簡易式和服用帯１０を装着するには、着物を着衣した後、図２に示すように、まず、胴巻帯部１の第２端部側１２が重なり方向の内側に位置することとなるように、着用者の胴部に胴巻帯部１を周回させて巻き付ける。
次いで、図２において矢印で示すように、第１装着部４の結合端部４１を一方の手で把持すると共に、第２装着部５の第２装着部５を他方の手で把持し、それぞれ外側へ引っ張ることにより締め上げる。
そして、第１装着部４と第２装着部５とを互いに結び合わせた後、この第１装着部４と第２装着部５、及び結び目８を胴巻帯部１の内側へ押し込むように隠すことで、外から見えないように見栄えを良くする。【００３１】  そうすると、簡易式和服用帯１０の装着完了後、第１装着部４が取り付けられた第１端部側１１において、図３に示すように、胴巻帯部１に取り付けた第１装着部４の取付け端部４２は、第１装着部４が胴巻帯部１の長さ方向に対し斜めに取り付けられていることで外部に露出せず、帯の美しさや着物の美しさを損なわせることなく、一層見栄えの良いものとすることができる。【００３２】  また、第１装着部４及び第２装着部５は、平たいことが望ましい。ここで、平たいとは、第１装着部４や第２装着部５の断面における幅の寸法の方が厚さの寸法より大きいことをいう。第１装着部４及び第２装着部５を平たくすることで、図４（ａ）に示すように、取付け端部４２又は５２の面積が大きくなって胴巻帯部１への取付け端部４２又は５２の取り付けが容易に行うことができる。【００３３】  さらに、第１装着部４及び第２装着部５が平たいものであると、図４（ｂ）に示すように、折り返しがし易くなって胴巻帯部１の内側へ隠すことが行い易いものとなる。さらに、第１装着部４及び第２装着部５の断面形状が丸い場合のように、胴巻帯部１の内側より無闇にはみ出してしまう虞も無いものとすることができる。【００３４】  図４は、第１端部側１１に取り付けた第１装着部４を示す図であり、（ａ）は、胴巻帯部１への取り付け方を説明する部分拡大正面図であり、（ｂ）は、簡易式和服用帯１０の装着完了後の処理の仕方を説明する部分拡大正面図である。
図４（ａ）に示すように、第１装着部４は、その上縁部４ａが胴巻帯部１の第１端部側１１と重ならないように、一面４Ａを表にして胴巻帯部１の長さ方向に対して斜めに配され、取付け端部４２を、たとえば縫い合わせることによって胴巻帯部１に対して取り付けられている。図中の符号７は、縫着による縫付部（縫い目）を示す。【００３５】  そして、図４（ｂ）に示すように、第１装着部４を胴巻帯部１の内側へ折り返すように反転させることで、第１装着部４を胴巻帯部１の内側へ容易に隠すことができる。しかも、第１装着部４は平たいものであるので、胴巻帯部１の内側で自然に反転してしまう虞が無く、第１装着部４が胴巻帯部１の内側より無闇にはみ出してしまうことも無い。図中の符号４Ｂは、第１装着部４の他面を示す。【００３６】  また、第１端部側に取り付ける第１装着部は、図５に示すように、取り付け位置を工夫することができる。
図５は、第１端部側１１に取り付けた第１装着部４を示す図であり、（ａ）は、胴巻帯部１への他の取り付け方を説明する部分拡大正面図であり、（ｂ）は、その部分拡大平面図である。
図５に示すように、第１装着部１４は、その取り付け端部４２が、胴巻帯部１を胴部に巻き付けたときに重なる一面を表側１Ａとして、裏側１Ｂに取り付けられたものとなっている。【００３７】  これにより、第１装着部１４の取り付け端部４２が胴巻帯部１の裏側１Ｂに隠れることとなるので、簡易式和服用帯１０の装着前においても、胴巻帯部１の表側１Ａに凹凸の無いすっきりした見栄えの良いものとすることができる。また、第１装着部１４の取り付け端部４２が胴巻帯部１に擦れて、胴巻帯部１の表面を傷つけてしまう虞も無い。
さらに、第１装着部１４が引っ張られたとしても、胴巻帯部１が裏側１Ｂより全体的に引っ張られるものとなるので、第１装着部１４の取り付け端部４２を取り付けた胴巻帯部１の表面部分が引っ張られて伸びたように取り付け端部４２が露出してしまうこともなく見栄えの良いものとすることができる。【００３８】  また、本発明において装着具は、第１装着部や第２装着部にそれぞれ、結合が容易なベルベット式ファスナー（面ファスナー）や、ボタンもしくはフックなどの係止具を取り付けたものとしても良い。【００３９】  しかしながら、第１装着部と第２装着部には何も取り付けないで互いに結び合わさる紐体とした方が、ベルベット式ファスナーやフックが胴巻帯部に擦れて、その表面を傷つけてしまう虞を回避することができるので望ましい。
しかも、第１装着部と第２装着部には何も取り付けない方が、互いに容易にかつ確実に結び合わせることができると共に、胴巻帯部を巻き付ける身体の胴部のサイズに関係なく、巻き付ける長さの調節を容易に行うことができる。【００４０】  また、本発明において装着具は、全体がもしくはその一部が伸縮性を有するものとしても良い。
これにより、簡易式和服用帯の装着において、適度な締め付け力をもって締め上げることができることとなり、締め付け力が強過ぎることによる胴部の圧迫感や、締め付け力が弱過ぎることによる簡易式和服用帯の位置ずれの虞を解消するができる。【００４１】  なお、本実施の形態においては、第１装着部と第２装着部とを胴巻帯部の上端位置に取り付け、胸に近い位置で結合するものとしても良い。すなわち、結合端部が取付け端部より、胴巻帯部に対する長さ方向の外側でかつ上方に位置し、さらに、取付け端部が胴巻帯部の上端位置に取り付けるものとする。【００４２】  しかしながら、上述した第１の実施の形態のように、第１装着部と第２装着部が胴巻帯部の下端位置に取り付けられ、腰に近い位置で互いに結合されるものの方が、簡易式和服用帯の装着において、第１装着部と第２装着部が結合されることによって胸を締め付けて圧迫することが無いので息苦しくなく望ましい。また、腰に近い位置で互いに結合されるものの方が、簡易式和服用帯の固定の際に力強く締め上げることができることとなるので望ましい。【００４３】＜第２の実施の形態＞
次に、本発明の第２の実施の形態に係る簡易式和服用帯（以下、「第２の簡易式和服用帯」という。）について説明する。
図６は、本発明に係る第２の簡易式和服用帯の全体構成の一例を一部省略して示す斜視図であり、図７は、その装着方法を説明する斜視図である。
図６及び図７に示すように、本発明に係る第２の簡易式和服用帯２０は、胴巻帯部１と、帯結び部２と、一対の装着具１３と、を備える。【００４４】  装着具１３は、胴巻帯部１を胴部に巻き付けたとき、重なり方向の外側に位置することとなる第１端部側１１に取り付けた紐状の第１装着部４と、重なり方向の内側に位置することとなる第２端部側１２に取り付けた紐状の第２装着部５とから構成されている。また、第１装着部４及び第２装着部５は何れも、胴巻帯部１の長さ方向に対し斜めに取り付けられている。【００４５】  本実施の形態において、第１装着部４は、胴巻帯部１を胴部に固定するとき把持される結合端部４１が、胴巻帯部１に対する取付け端部４２より長さ方向の外側でかつ下方に位置すると共に、取付け端部４２を胴巻帯部１の第１端部側１１における下端位置に取り付けることで、斜めに取り付けられたものとなっている。【００４６】  一方、第２装着部５は、胴巻帯部１を胴部に固定するとき把持される結合端部５１が、胴巻帯部１に対する取付け端部５２より長さ方向の外側でかつ下方に位置すると共に、取付け端部５２を胴巻帯部１の第２端部側１２における下端位置に取り付けることで、斜めに取り付けられたものとなっている。【００４７】  このような構成の簡易式和服用帯２０を装着するには、着物を着衣した後、図７に示すように、まず、胴巻帯部１の第２端部側１２が重なり方向の内側に位置することとなるように、着用者の胴部に胴巻帯部１を周回させて巻き付ける。
次いで、図７において矢印で示すように、第１装着部４の結合端部４１を一方の手で把持すると共に、第２装着部５の第２装着部５を他方の手で把持し、それぞれ外側へ引っ張ることにより締め上げる。
そして、第１装着部４と第２装着部５とを互いに結び合わせた後、この第１装着部４と第２装着部５、及び結び目８を胴巻帯部１の内側へ押し込むように隠すことで、外から見えないように見栄えを良くする。【００４８】  そうすると、簡易式和服用帯２０の装着において、図８に示すように、胴巻帯部１に取り付けた第２装着部５の取付け端部５２は、第２装着部５が胴巻帯部１の長さ方向に対し斜めに取り付けられていることで、胴部に巻付けることで外側となった胴巻帯部１の下縁部１ｂが、胴部に巻付けることで内側となった胴巻帯部１の下端位置に取り付けた第２装着部５の上縁部５ａに乗っかってしまうことない。【００４９】  したがって、簡易式和服用帯２０の装着完了後、図９及び図１０に示すように、胴部に巻付けることで内側となった胴巻帯部１の第２端部側１２に取り付けた第２装着部５の取付け端部５２が、胴巻帯部１の下縁部１ｂより下方に突出し露出してしまうといった帯の形の乱れが無く、着上がりの美しさを整える手間の必要がないものとすることができる。【００５０】  次に、本発明に係る簡易式和服用帯における胴巻帯部と帯結び部の形成方法の一例について説明する。
図１１及び図１２は、本発明に係る簡易式和服用帯における胴巻帯部及び帯結び部の形成方法を順次説明する図である。
ここでは、帯結び部としてお太鼓を形成する場合について説明する。【００５１】  まず、長尺の帯６０を準備し、図１１（ａ）に示すように、帯結び部を形成するのに必要とする長さを帯結び部構成部位６２として確保した上で、残りを胴巻帯部構成部位６１として長さ方向に沿って二つ折りする。
また、胴巻帯部構成部位６１と帯結び部構成部位６２との境界部分を三角寄せ折りすることで三角寄せ折り部６を形成し、胴巻帯部構成部位６１に対して直交する帯結び部構成部位６２を形成する。すなわち、一点鎖線Ｌ１，Ｌ２，Ｌ３で示した部分を同じ方向へ折り畳むと共に、二点鎖線Ｌ４で示した部分を異なる方向に折り畳む。図１１（ａ）において、一点鎖線Ｌ１，Ｌ２，Ｌ３は谷折り部、二点鎖線Ｌ４は山折り部として示されている。【００５２】  長尺の帯６０は、たとえば絹や木綿、ウール、麻、合成繊維等の適宜の布地で作ることができる。また、帯の表裏面には、図柄、絵柄、色分け、ぼかし、織地、刺しゅう等の各種模様を施したものでも良い。この帯の寸法は、女性用の和装帯の場合、たとえば幅１０〜２０ｃｍ、長さ３００〜４００ｃｍを有する。【００５３】  次に、図１１（ｂ）に示すように、三角寄せ折り部６を境にして、胴巻帯部構成部位６１に対して直交する方向に帯結び部構成部位６２を折り畳み、帯結び部構成部位６２が三角寄せ折り部６に被さるようにする。
引き続き、図１１（ｃ）に示すように、お太鼓部２１と、このお太鼓部２１に連続して内側で折り返される折り込み部２２と、この折り込み部２１に連続して下方へ垂れ下がる垂れ部２３と、を形成するように、帯結び部構成部位６２を三角寄せ折り部６と重なるように折り畳む。これにより、帯結び部２が形成されることになる。【００５４】  次いで、図１２（ａ）に示すように、手先部６１ａとして折り返しするのに必要とする長さを確保した上で、この手先部６１ａがお太鼓部２１に横にはみ出るように、胴巻帯部構成部位６１の残りの部分をお太鼓部２１とは逆側に二つ折りして重ね合わせる。
さらに、図１２（ｂ）に示すように、手先部６１ａを、お太鼓部２１と折り込み部２２との間に折り返す。これにより、胴巻帯部１が形成されることになる。【００５５】  そうすると、図１２（ｃ）に示すように、胴巻帯部１の背側に、お太鼓部２１が形成された帯結び部２が配された帯を、１本の長尺６０の帯から形成することができる。
そして、胴巻帯部構成部位６１における手先部６１ａを折り返した折り目部分が第１端部側１１となり、胴巻帯部構成部位６１の残りの部分を折り返した折り目部分が第２端部側１２となるので、それぞれ所望に位置に、第１装着部４及び第２装着部５を取り付けることで、本発明に係る簡易式和服用帯を製造する。【００５６】  以上ように本実施の形態における簡易式和服用帯は、１本の長尺の帯を切断することなく、折りたたむことによって胴巻帯部と帯結び部の形成するものであるので、必要に応じて所定の縫着箇所をほどくことにより元の１本の帯に戻すことができる。【００５７】  なお、本発明に係る簡易式和服用帯においては、上述した実施の形態のように長尺の帯を切断することなくそのまま利用した帯はもちろんこと、身体の胴部に巻き付ける帯状の胴巻帯部と、この胴巻帯部に取り付ける予め所望の結び型に形成された帯結び部とを別々に作製し、後で結合したいわゆる二部式帯としたものであっても良い。
【図面の簡単な説明】
【００５８】
【図１】本発明に係る第１の簡易式和服用帯の全体構成の一例を一部省略して示す斜視図である。
【図２】図１に示す簡易式和服用帯の装着方法を説明する斜視図である。
【図３】図１に示す簡易式和服用帯の装着完了後の状態を示す右側面図である。
【図４】図１に示す簡易式和服用帯における第１端部側の装着具（第１装着部）を示す図であり、（ａ）は、胴巻帯部への取り付け方を説明する部分拡大正面図であり、（ｂ）は、簡易式和服用帯の装着完了後の処理の仕方を説明する部分拡大正面図である。
【図５】本発明に係る簡易式和服用帯における第１端部側の装着具（第１装着部）を示す図であり、（ａ）は、胴巻帯部への他の取り付け方を説明する部分拡大正面図であり、（ｂ）は、その部分拡大平面図である。
【図６】本発明に係る第２の簡易式和服用帯の全体構成の一例を一部省略して示す斜視図である。
【図７】図６に示す簡易式和服用帯の装着方法を説明する斜視図である。
【図８】図６に示す簡易式和服用帯における第２端部側の装着具（第２装着部）の胴巻帯部への取り付け方を説明する部分拡大正面図である。
【図９】図６に示す簡易式和服用帯の装着完了後の状態を示す正面図である。
【図１０】図６に示す簡易式和服用帯の装着完了後の状態を示す左側面図である。
【図１１】（ａ）乃至（ｃ）は、本発明に係る簡易式和服用帯における胴巻帯部及び帯結び部の形成方法を順次説明する図である。
【図１２】（ａ）乃至（ｃ）は、図１１に続く形成方法を順次説明する図である。
【図１３】従来の第１の構造をした簡易型帯の全体構成の一例を示す斜視図である。
【図１４】図１３に示す簡易型帯の装着方法を説明する正面図である。
【図１５】図１３に示す簡易型帯の装着完了後の状態を示す正面図である。
【図１６】図１３に示す簡易型帯の装着完了後の状態を示す右側面図である。
【図１７】従来の第２の構造をした簡易型帯の全体構成の一例を示す正面図である。
【符号の説明】
【００５９】  １  胴巻帯部、２  帯結び部、３，１３  装着具、４  第１装着部、５  第２装着部、７  縫付部、８  結び目、１０，２０  簡易式和服用帯、１１  第１端部側、１２  第２端部側、４１，５１  結合端部、４２，５２  取り付け端部、６０  長尺の帯、６１  胴巻帯部構成部位、６２  帯結び部構成部位。
【図１】
2009191426.tif 000003
【図２】
2009191426.tif 000004
【図３】
2009191426.tif 000005
【図４】
2009191426.tif 000006
【図５】
2009191426.tif 000007
【図６】
2009191426.tif 000008
【図７】
2009191426.tif 000009
【図８】
2009191426.tif 000010
【図９】
2009191426.tif 000011
【図１０】
2009191426.tif 000012
【図１１】
2009191426.tif 000013
【図１２】
2009191426.tif 000014
【図１３】
2009191426.tif 000015
【図１４】
2009191426.tif 000016
【図１５】
2009191426.tif 000017
【図１６】
2009191426.tif 000018
【図１７】
2009191426.tif 000019